(57)【特許請求の範囲】
【請求項１】
外殻を形成する外層（７）と内容物を収容する潰れ減容変形自在な内層（８）とが剥離可能に積層された有底筒状の胴部（４）と、該胴部（４）の上端に肩部を介して連設された口筒部（２）と、該口筒部（２）を形成する前記外層（７）の一部に開設された吸気孔（６）とを備えたボトル状のブロー成形容器であって、
前記胴部（４）の中心軸に対して軸対称となる両位置の少なくとも一方に、前記外層（７）の一部で前記内層（８）の一部を挟み込んで保持状態を形成する平断面略Ｃ字状の保持部（１２）と、該保持部（１２）に隣接する左右の位置に前記胴部（４）を部分的に陥没形成した一対の陥没部（１１）と、前記一対の陥没部（１１）に、前記胴部（４）が潰れ変形したときに前記内層（８）の動きを規制し、前記保持部（１２）を形成する前記内層（８）の一部が前記外層（７）の一部から離脱して前記保持状態が解除されることを防止する拘束部（１３）と、からなる保持機構（１０）を設けたことを特徴とするブロー成形容器。
【請求項２】
拘束部（１３）を、陥没部（１１）を形成する陥没底面（１１ａ）に、外層（７）の一部で内層（８）の一部を挟持する縦リブ（１３Ａ）で形成した請求項１記載のブロー成形容器。
【請求項３】
拘束部（１３）を、陥没部（１１）を形成する上下の陥没側壁（１１ｂ）に突設した一対の凸部（１３Ｂ）で形成した請求項１記載のブロー成形容器。
【請求項４】
拘束部（１３）を、陥没部（１１）を形成する陥没底面（１１ａ）に、外層（７）の一部で内層（８）の一部を挟持する縦リブ（１３Ａ）と、陥没部（１１）を形成する上下の陥没側壁（１１ｂ）に突設した一対の凸部（１３Ｂ）と、で形成した請求項１記載のブロー成形容器。
【請求項５】
胴部（４）の軸対称となる両位置の、一方に拘束部（１３）を形成し、他方に外層（７）と内層（８）とを全高さ範囲に亘って接着する縦帯状の接着層（９）を形成した請求項１乃至４のいずれか一項に記載のブロー成形容器。
【請求項６】
保持機構（１０）を、胴部（４）の高さ方向における複数の位置に形成した請求項１乃至５のいずれか一項に記載のブロー成形容器。
【発明の詳細な説明】
【技術分野】
【０００１】
本発明は、外殻を形成する外層の内側に、内容物を収容する潰れ減容変形自在な内層を、剥離可能に積層し、外気を外層と内層との間に吸引して内容物の注出使用を可能とした、一般にデラミボトルと称されているブロー成形容器に関する。
【背景技術】
【０００２】
デラミボトルにあっては、内容物の注出使用に従って、内層が、外気の吸引に従って外層から離れて潰れ変形するデラミ現象が発生するが、このデラミ現象は、外気の吸引するための吸気口が口筒部に形成されている関係から、口筒部側から底部側に向かって進行する。
【０００３】
内層におけるデラミ現象は、内層の大気圧による、単純な潰れ変形であるので、その潰れ変形形態を予測することはできず、全横幅範囲に亘って略密着状態で潰れ変形する内層部分が増えると、内容物の注出が十分に行われ難くなる、と云う不都合が発生する。
【０００４】
この不都合を解消する従来技術として、例えば、胴部の中心軸に対して軸対称となる両位置の一方に、外層と内層とを全高さ範囲に亘って接着する縦帯状の一つの接着層を設け、他方に外層の一部で内層の一部を挟み込んで保持状態を形成する平断面Ｃ字状の保持部を設けてデラミボトルを構成した技術がある（特許文献１）。
【特許文献１】特開２００７−９１２８０号公報
【０００５】
この従来技術は、内層の潰れ変形の基本的な方向性を規制し、内層の潰れ変形が規則性を持って進行するようになり、内容物の通路が確保され易くなって、デラミ現象の進行に伴う内容物の注出不良を抑制するものとなっている。
【発明の開示】
【発明が解決しようとする課題】
【０００６】
しかしながら、上記した従来技術にあっては、デラミ現象の進行に伴う内容物の注出不良を抑制する効果を奏するものの、稀にではあるがデラミボトルを潰れ変形させたときに、平断面Ｃ字状の保持部に保持されていた内層の一部が、外層から離脱して保持状態が解除されてしまうことがあり、この場合には内層が、外層から離れて潰れ変形するデラミ現象の際、全横幅範囲に亘って略密着状態で潰れ変形する内層部分が増えてしまって内容物の注出が不十分となるおそれがあった。
【０００７】
そこで、本発明は、上記した従来技術における問題点を解消すべく創案されたもので、デラミ現象の進行中に、胴部に設けられた平断面略Ｃ字状の保持部において、外層の一部に挟み込まれた内層の一部が離脱して保持状態が解除されるのを防止することを技術的課題とし、もってデラミ現象の進行に関わりなく、最後まで内容物の安定した注出動作を達成できるブロー成形容器を創出することを目的とする。
【課題を解決するための手段】
【０００８】
上記技術的課題を解決する本発明の内、本発明の主たる発明の手段は、
外殻を形成する外層と内容物を収容する潰れ減容変形自在な内層とが剥離可能に積層された有底筒状の胴部と、胴部の上端に肩部を介して連設された口筒部と、口筒部を形成する外層の一部に開設された吸気孔とを備えたボトル状のブロー成形容器であって、
胴部の中心軸に対して軸対称となる両位置の少なくとも一方に、外層の一部で内層の一部を挟み込んで保持状態を形成する平断面略Ｃ字状の保持部と、保持部に隣接する左右の位置に胴部を部分的に陥没形成した一対の陥没部と、一対の陥没部に、胴部が潰れ変形したときに内層の動きを規制し、保持部を形成する内層の一部が外層の一部から離脱して保持状態が解除されることを防止する拘束部と、からなる保持機構を設けたことを特徴とする、というものである。
【０００９】
上記手段においては、内容物の注出に従って、内層は、吸気孔を備えた容器の口筒部側から底部に向かって順に潰れ変形して行くが、この内層の潰れ変形は、軸対称の両位置に配置された保持部が不動部分として機能するので、この軸対称の両位置で規制された状態で行われる。
【００１０】
すなわち、内層は、軸対称の両位置に配置された保持部を不動部分としているので、基本的には、この両位置に配置された保持部を含んで垂直に切断した仮想平面ａ−ａ（図５参照）に対して、左右両方向から均等に押し潰される形態で潰れ変形することになる。
【００１１】
また例え、保持状態にある内層に、保持部を構成する外層の一部から離脱させるような外力が作用しても、保持部の両側に設けられた拘束部がそのような内層の動きを妨げる抵抗として作用する。このため、保持部を構成する外層部分からの内層部分が離脱してしまうことを未然に防止し、デラミ現象の進行の保持部における外層部分による内層部分の保持状態の維持が可能となる。
【００１２】
このため、内層の潰れ変形時の基本的な方向性を維持することが可能となり、内層の潰れ変形が規則性を持って進行するようになるので、これにより内容物を口筒部に導くための通路の確保を容易とすることができる。
【００１３】
なお、保持部は、外層の一部で内層の一部を挟み込んで保持するものであるので、割金型構造である容器成形用金型を利用して、簡単に成形することができる。すなわち容器成形用金型において、ブロー成形時に外層の一部と内層の一部とを平断面略Ｃ字状に挟み込むことで成形することができる。
【００１４】
また本発明の他の手段は、請求項１記載の発明において、拘束部を、陥没部を形成する陥没底面に、外層の一部で内層の一部を挟持する縦リブで形成した、と云うものである。
【００１５】
上記手段では、縦リブが内層を挟持すると共に内層の動きを妨げる抵抗として作用することにより、保持部を構成する外層部分からの内層部分の離脱防止を達成する。しかも、保持部の左右両側に形成することにより、離脱防止の強化を達成しうる。
【００１６】
また本発明の他の手段は、請求項１記載の発明において、拘束部を、陥没部を形成する上下の陥没側壁に突設した一対の凸部で形成した、と云うものである。
【００１７】
上記手段においては、一対の凸部を構成する外層部分が、これらの間に配置された内層の動きを規制する抵抗として作用し、保持部における外層からの内層の離脱防止を達成する。
【００１８】
また本発明の他の手段は、請求項１記載の発明において、拘束部を、陥没部を形成する陥没底面に、外層の一部で内層の一部を挟持する縦リブと、陥没部を形成する上下の陥没側壁に突設した一対の凸部と、で形成した、と云うものである。
【００１９】
上記手段では、縦リブによる離脱防止機能と一対の凸部による離脱防止機能とが同時に作用するので、これらの相乗効果によって外層からの内層の離脱防止をより効果的に達成する。
【００２０】
また本発明の他の手段は、請求項１乃至４のいずれか一項に記載の発明において、胴部の軸対称となる両位置の、一方に拘束部を形成し、他方に外層と内層とを全高さ範囲に亘って接着する縦帯状の接着層を形成した、と云うものである。
【００２１】
上記手段によっても、内層の潰れ変形形態を規制することができ、この規制により内層部分の略密着状態での潰れ変形発生の抑制を達成しうる。
【００２２】
また本発明の他の手段は、請求項１乃至５のいずれか一項に記載の発明において、保持機構を、胴部の高さ方向における複数の位置に形成した、と云うものである。
【００２３】
上記手段では、保持部を形成するための、胴部の変形量を小さく抑えた状態で、すなわち容器全体の減容量を低く抑えた状態で、内層の潰れ変形を、胴部の全高さ範囲に亘って左右略均等に作用させることができる。
【発明の効果】
【００２４】
本発明は、上記した構成となっているので、以下に示す効果を奏する。
本発明の主たる発明にあっては、保持部を構成している外層部分からの内層部分の離脱に対して、両側の拘束部が強大な抵抗力を発揮するので、保持部を不動なものとして内層部分の離脱を確実に防止して保持状態の確保が可能となる。
【００２５】
よって、内層の潰れ変形に基本的な方向性を与えることが可能となり、内層の潰れ変形がこの規則性を持って進行するようになるので、これにより内容物を口筒部に導くための通路が確保し易くなり、デラミ現象の進行に従って内容物の注出が不十分になる、と云う不都合を回避することができる。
【００２６】
また拘束部を、陥没部を形成する陥没底面に、外層の一部で内層の一部を挟持する縦リブで形成した構成にあっては、内層の動きを規制する拘束部を縦リブという簡単な手段で達成することができる。しかも縦リブは、胴部外表面上に大きく突出した状態で形成されることがないため、容器の取扱い時に拘束部が引っ掛かると云う不都合の心配もない。
【００２７】
また拘束部を、陥没部を形成する上下の陥没側壁に突設した一対の凸部で形成した構成にあっても、内層の動きを規制する拘束部を、外層を構成する陥没側壁に形成した一対の凸部という簡単な手段で達成することができる。しかも一対の凸部を陥没部内に設けることができ、胴部外表面側に大きく突出することがないため、容器を取り扱う上で拘束部が邪魔になるような不都合を招くことがない。
【００２８】
また拘束部を、陥没部を形成する陥没底面に、外層の一部で内層の一部を挟持する縦リブと、陥没部を形成する上下の陥没側壁に突設した一対の凸部と、で形成した構成にあっては、縦リブによる離脱防止と一対の凸部による離脱防止とが、これらの相乗効果によって極めて強大な抵抗力を発揮するので、より確実且つ安定的に保持部を構成する外層部分からの内層部分の離脱を防止する。
【００２９】
さらに保持機構を、胴部の高さ方向における複数の位置に形成した構成にあっては、内層に対する潰れ変形を、胴部の全高さ範囲に亘って、左右略均等に作用させることができるため、より規則性を持って進行させることができる。よって、内層を、左右方向から一定した扁平な状態に、安定的に潰れ変形させることが可能となり、内容物を口筒部に導く通路の確保をこれまで以上に容易とすることができる。
【図面の簡単な説明】
【００３０】
【図１】本発明の実施の形態におけるブロー成形容器の基本的構成を説明すべく保持機構を除いた状態を示すブロー成形容器の側面図である。
【図２】図１に示したブロー成形容器の平面図である。
【図３】本発明の第１実施例を示すブロー成形容器の正面図である。
【図４】第１実施例における保持機構を示すと共に図３のＩＶ−ＩＶ線における断面図である。
【図５】第１実施例の保持機構と内層の潰れ変形例を示す図４同様の断面図である。
【図６】本発明の第２実施例を示すブロー成形容器の正面図である。
【図７】第２実施例に示すブロー成形容器の斜視図である。
【図８】本発明の第３実施例を示すブロー成形容器の正面図である。
【図９】第３実施例における保持機構を示すと共に図８のＩＸ−ＩＸ線における断面図である。
【図１０】本発明の第４実施例示す図８同様の断面図である。
【発明を実施するための形態】
【００３１】
以下、本発明の実施形態を、図面を参照しながら説明する。
図１は本発明の実施の形態におけるブロー成形容器の基本的構成を説明すべく保持機構を除いた状態を示すブロー成形容器の側面図、図２は図１に示したブロー成形容器の平面図、図３は本発明の第１実施例を示すブロー成形容器の正面図、図４は第１実施例における保持機構を示すと共に図３のＩＶ−ＩＶ線における断面図、図５は第１実施例の保持機構と内層の潰れ変形例を示す図４同様の断面図である。
【００３２】
本発明のデラミボトルであるブロー成形容器１は、外殻を形成する外層７と、内容物を収容する潰れ減容変形自在な内層８とを有し、これらが剥離可能に積層されて構成されている。ブロー成形容器１は、底部５を備えた有底筒状の胴部４を有し、胴部４の上端は、上方に縮径する肩部３を介して口筒部２が連設された構造となっている。口筒部２の外層７部分には、外層７と内層８との間に連通し、この部分に外気を取り入れるための吸気孔６（図１参照）が開設されている。
【００３３】
図３に示すように、第１実施例に示すブロー成形容器１Ａでは、胴部４に左右一対の陥没部１１を隣接形成し、この両陥没部１１の間に、胴部４の一部を残存した状態で保持部１２を設けている。即ち、図４に示すように、保持部１２は胴部４の一部を平断面略Ｃ字状に形成したものである。平断面略Ｃ字状に形成された外層７の内側部分には、同じく平断面略Ｃ字状に形成された内層８の一部を挟み込むことで内層８全体が保持されている。陥没部１１内には、陥没底面１１ａの一部を左右から押し潰して、直立した縦リブ１３Ａから構成される拘束部１３が形成されている。
【００３４】
これら一対の陥没部１１、保持部１２及び一対の陥没部１１に形成された拘束部１３，１３が、保持部１２を構成する外層７部分からの内層８部分の離脱を防止する保持機構１０を構成している。
【００３５】
このような保持機構１０は、図３に示すように胴部４の高さ方向における複数の箇所（図３では２箇所）に形成され、さらに図４に示すように胴部４の中心軸Ｏに対して互いに軸対称となる両側の位置に形成されている。
【００３６】
図３に示した第１実施例にあっては、保持部１２の左右両側の陥没部１１，１１内に縦リブ１３Ａ，１３Ａから構成される拘束部１３，１３を設けたことにより、縦リブ１３Ａ，１３Ａが内層８の動きを規制する抵抗として機能する。
【００３７】
すなわち、潰れ変形時に加えた外力が、内層８に対して直接作用する従来の構成にあっては、保持部１２を構成する外層７の一部から内層の一部が離脱しまうことがあるが、第１実施例では保持部１２の両側に設けられた縦リブ１３Ａ，１３Ａが、そのような外力が保持部１２内の内層８部分に直接作用することを阻止する。
【００３８】
よって、デラミ現象の進行中に、平断面Ｃ字状の保持部１２において外層７部分からの内層８部分の離脱を未然に防止することが可能となり、保持部１２における外層７部分による内層８部分の保持状態を維持することができる。
【００３９】
また保持機能１０を中心軸に対して軸対称となる両位置に形成することにより、内層８に対する保持部１２の規制力は胴部４に対して左右均等に作用することになり、内層８を仮想平面ａ−ａ（図５参照）に対して左右両方向から均等に押し潰される形態で潰れ変形させることが可能となる。
【００４０】
その結果、内層８の潰れ変形時の基本的な方向性を維持することが可能となり、内層８の潰れ変形は規則性を持って進行するようになるので、これにより内容物を口筒部２に導くための通路が確保し易くなり、内容物の注出動作を安定させることができる。
【００４１】
図６は本発明の第２実施例を示すブロー成形容器の正面図、図７は第２実施例に示すブロー成形容器の斜視図である。
第２実施例に示すブロー成形容器１Ｂが、上記第１実施例に示すブロー成形容器１Ａと異なる点は拘束部１３の形態にあり、その他の構成は上記第１実施例と同様である。
【００４２】
すなわち、図６及び図７に示すように、第２実施例に示すブロー成形容器１Ｂでは、拘束部１３を、陥没部１１を形成する上下の陥没壁面１１ｂ，１１ｂに、両陥没壁面１１ｂから互いに接近する方向に突出する一対の凸部１３Ｂ，１３Ｂとして形成している。
【００４３】
第２実施例にあっては、保持部１２の左右両側の一対の陥没部１１，１１を構成する上下の陥没壁面１１ｂに突設した一対の凸部１３Ｂ，１３Ｂが、対向する陥没壁面１１ｂ，１１ｂ間の対向距離を狭くし、この間に配置される内層８の動きを妨げる抵抗として機能する。
【００４４】
すなわち、第２実施例においても、保持部１２の両側に設けられた一対の凸部１３Ｂ，１３Ｂが、潰れ変形時に加えられた外力が保持部１２内の内層８部分に直接作用することを阻止する。
【００４５】
よって、上記第１実施例同様にデラミ現象の進行中に、平断面略Ｃ字状の保持部１２を構成する外層７部分からの内層８部分の離脱を未然に防止し、結果として内容物を口筒部２に導くための通路を確保して、内容物の注出動作を安定させる。
【００４６】
図８は本発明の第３実施例を示すブロー成形容器の正面図、図９は第３実施例における保持機構を示すと共に図８のＩＸ−ＩＸ線における断面図である。
第３実施例に示すブロー成形容器１Ｃが、上記第１及び第２実施例に示すブロー成形容器１Ａ，１Ｂと異なる点も拘束部１３の形態にあり、その他の構成は上記第１及び第２実施例と同様である。
【００４７】
すなわち、図８及び図９に示すように、第３実施例に示すブロー成形容器１Ｃでは、拘束部１３を、陥没部１１を形成する陥没底面１１ａの一部を左右から押し潰して形成した縦リブ１３Ａと、上下の陥没壁面１１ｂ，１１ｂに突設した一対の凸部１３Ｂ，１３Ｂとで構成している。
【００４８】
第３実施例に示したブロー成形容器１Ｃにあっては、一つの陥没部１１内に配置した縦リブ１３Ａと一対の凸部１３Ｂ，１３Ｂとが共に内層８の動きを規制する抵抗として機能する。両者の相乗作用により、内層８の動きに対して極めて強大な抵抗力として作用することが可能となるので、より確実且つ安定的に保持部１２を構成する外層７部分からの内層８部分の離脱を防止することができる。
【００４９】
その結果、第１実施例及び第２実施例に示した場合に比較し、保持部１２を構成する外層７部分による内層８部分の保持をより強化することができ、これにより外層７部分からの内層８部分の離脱防止機能をより効果的に発揮することができる。その結果、内容物を口筒部２に導く通路が確実に確保され、内容物の安定的な注出動作を可能とすることができる。
【００５０】
図１０は本発明の第４実施例示す図８同様の断面図である。
図１０に示すブロー成形容器１Ｄが、上記第１乃至第３実施例と異なる点は、中心軸Ｏに対して軸対称となる一方の位置に保持機構１０を配置し、他方の位置に接着層９を配置した点にあり、その他の構成は第１乃至第３実施例と同様である。
【００５１】
すなわち、中心軸Ｏに対して軸対称となる他方の位置では、外層７と内層８との間が、胴部４の全高さ範囲に亘って縦帯状の接着層９で接着されている。胴部４の中心軸Ｏに対して、接着層９と軸対称となる一方の位置には、外層７の一部で内層８の一部を挟み込んで保持する保持部１２を有する保持機構１０が設けられていて、この接着層９と保持部１２とにより、内層８の潰れ変形形態を規制している。
【００５２】
この図１０に示す第４実施例にあっては、胴部４の全高さ範囲に亘って接着層９を設けたことにより、第１乃至第３実施例に比較して、陥没部１１を有しない分だけ内容積を増大させることができる。また内層８に対する接着層９による規制力は、胴部４の全高さ範囲に亘って均等に作用するため、内容物を口筒部２に導く通路を安定的に確保することができる。
【００５３】
以上、実施例に沿って本発明の構成とその作用効果について説明したが、本発明の実施の形態は上記実施例に限定されるものではない。
例えば、第１の実施例では、軸対称となる両位置に、高さ方向に沿って複数の保持機構１０を設けた構成を示して説明しているが、陥没部を胴部４の全高さ範囲に亘って左右一対の陥没部１１，１１を隣接形成し、この両陥没部１１，１１の間に、保持部１２を全高さ範囲に亘って残存させた状態で形成し、且つ両陥没部１１，１１のそれぞれに縦リブ１３Ａ，１３Ａを全高さ範囲に亘って形成することも可能である。かかる構成では、保持部１２の規制力を、胴部４の全高さ範囲に亘ってより均等に作用させることができる。
【００５４】
また図８及び図９に示す第３実施例では、一対の凸部１３Ｂ，１３Ｂの外側に縦リブ１３Ａを配置した例を示して説明したが、縦リブ１３Ａを内側に配置し、その外側に一対の凸部１３Ｂ，１３Ｂを配置した構成であってもよい。
【符号の説明】
【００５５】
１，１Ａ，１Ｂ，１Ｃ，１Ｄ    ；          ブロー成形容器
２          ；          口筒部
３          ；          肩部
４          ；          胴部
５          ；          底部
６          ；          吸気孔
７          ；          外層
８          ；          内層
９          ；          接着層
１０      ；          保持機構
１１      ；          陥没部
１１ａ  ；          陥没底面
１１ｂ  ；          陥没側壁
１２      ；          保持部
１３      ；          拘束部
１３Ａ  ；          縦リブ
１３Ｂ  ；          凸部
【図１】
0005669045.tif 000002
【図２】
0005669045.tif 000003
【図３】
0005669045.tif 000004
【図４】
0005669045.tif 000005
【図５】
0005669045.tif 000006
【図６】
0005669045.tif 000007
【図７】
0005669045.tif 000008
【図８】
0005669045.tif 000009
【図９】
0005669045.tif 000010
【図１０】
0005669045.tif 000011